(57)【要約】【課題】許容される室内温度設定値を維持した上で除湿効果や加湿効果を発揮させる。【解決手段】空調機１’に第１の冷温水コイル１Ａ１と第２の冷温水コイル１Ａ２を設ける。冷温水コイル１Ａ１に対してダンパＤＶ１および加湿器１Ｂ１を設ける。冷温水コイル１Ａ２に対してダンパＤＶ２および加湿器１Ｂ２を設ける。計測温度Ｔｐｖと設定温度Ｔｓｐとの温度差ΔＴが所定の範囲内にある場合、冷温水コイル１Ａ１への冷温水の流量およびダンパＤＶ１の開度を調節する。温度差ΔＴが所定の範囲を超えた場合、さらに冷温水コイル１Ａ２への冷温水の流量およびダンパＤＶ２の開度を調節する。【選択図】  図１
2010078238.tif 000002
【特許請求の範囲】
【請求項１】
被制御室へ調和された空気を供給する空調機と、前記被制御室内の計測温度と設定温度との差に応じて前記空調機への冷温水の流量を制御する制御装置とを備えた空調制御システムにおいて、
前記空調機は、
取入空気の通過通路に並設され当該取入空気が分流して通過する第１の冷温水コイルおよび第２の冷温水コイルと、
前記第１の冷温水コイルへの取入空気の通過風量を調節する第１の風量調節手段と、
前記第２の冷温水コイルへの取入空気の通過風量を調節する第２の風量調節手段と、
前記第１の冷温水コイルへの冷温水の流量を調節する第１の流量調節手段と、
前記第２の冷温水コイルへの冷温水の流量を調節する第２の流量調節手段とを備え
前記制御装置は、
前記計測温度と設定温度との温度差が所定の範囲内にある場合、前記第１の流量制御手段を制御して前記第１の冷温水コイルへの冷温水の流量を調節するとともに、前記第１の風量調節手段を制御して前記第１の冷温水コイルへの取入空気の通過風量を調節する制御手段
を備えることを特徴とする空調制御システム。
【請求項２】
請求項１に記載された空調制御システムにおいて、
前記制御手段は、
前記計測温度と設定温度との温度差が前記所定の範囲を超過した場合、さらに前記第２の流量制御手段を制御して前記第２の冷温水コイルへの冷温水の流量を調節するとともに、前記第２の風量調節手段を制御して前記第２の冷温水コイルへの取入空気の通過風量を調節する
ことを特徴とする空調制御システム。
【請求項３】
請求項１または２に記載された空調制御システムにおいて、
前記空調機は、
前記第１の冷温水コイルの下流側に設置され上流側より流れてくる取入空気への加湿を行う第１の加湿手段と、
前記第２の冷温水コイルの下流側に設置され上流側より流れてくる取入空気への加湿を行う第２の加湿手段とを備え、
前記制御手段は、
前記空調機へ温水の供給が行われている暖房時、前記計測温度と設定温度との温度差が前記所定の範囲内にある場合には、前記第１の加湿手段を制御して前記取入空気への加湿を行い、前記計測温度と設定温度との温度差が前記所定の範囲を超過した場合には、さらに前記第２の加湿手段を制御して前記取入空気への加湿を行う
ことを特徴とする空調制御システム。
【請求項４】
請求項１〜３の何れか１項に記載された空調制御システムにおいて、
前記空調機は、
前記被制御室への調和空気の搬送動力を調節する搬送動力調節手段を備え、
前記制御手段は、
前記第１および第２の流量調節手段の冷温水の流量の調節量に応じて前記搬送動力調節手段を制御して前記被制御室への調和空気の搬送動力を調節する
ことを特徴とする空調制御システム。
【発明の詳細な説明】
【技術分野】
【０００１】
この発明は、被制御室内の計測温度と設定温度との差に応じて空調機への冷温水の流量を制御する空調制御システムに関するものである。
【背景技術】
【０００２】
従来より、この種の空調制御システムでは、被制御室へ調和された空気を供給する空調機を備え、この空調機への冷温水の流量を被制御室内の計測温度と設定温度との差に応じて制御するようにしている。
【０００３】
図１１に従来の空調制御システムの要部を示す（例えば、特許文献１参照）。同図において、１は空調機、２は空調機１に付設された制御装置、３は空調機１からの調和空気が供給される被制御室である。
【０００４】
空調機１には、冷温水コイル１Ａ、加湿器１Ｂ、送風機（給気ファン）１Ｃが設けられている。また、冷温水コイル１Ａへの冷温水の供給通路には冷温水バルブＭＶが、加湿器１Ｂへの加湿水の供給通路には加湿器バルブＭＶＨが設けられている。
【０００５】
被制御室３には温度センサ４や湿度センサ５が設けられており、空調機１への外気ＯＡの供給通路には外気ダンパ６が設けられ、被制御室３からの外気への排気ＥＸの排出通路には排気ダンパ７が設けられている。また、排気ＥＸの一部が還気ＲＡとして空調機１へ戻されるようになっており、空調機１への還気ＲＡの還流通路には還気ダンパ８が設けられている。
【０００６】
制御装置２は、温度センサ４および湿度センサ５からの被制御室３内の計測温度（室内温度計測値）Ｔｐｖおよび計測湿度（室内湿度計測値）Ｈｐｖを入力とし、計測温度Ｔｐｖおよび計測湿度Ｈｐｖが設定温度（室内温度設定値）Ｔｓｐおよび設定湿度（室内湿度設定値）Ｈｓｐに一致するように、冷温水バルブＭＶおよび加湿器バルブＭＶＨの開度を制御する。
【０００７】
このバルブの開度制御において、制御装置２は、Ｔｐｖ＝ＴｓｐとなるようにＰＩＤ演算を行って冷温水弁開度要求ＭＶspＴ（％）を求め、この求めた冷温水弁開度要求ＭＶspＴを冷温水バルブＭＶへ送る。また、Ｈｐｖ＝ＨｓｐとなるようにＰＩＤ演算を行って加湿弁開度要求ＭＶspＨ（％）を求め、この求めた加湿弁開度要求ＭＶspＨを加湿器バルブＭＶＨへ送る。
【０００８】
また、制御装置２は、外気ダンパ６、排気ダンパ７および還気ダンパ８の開度を制御し、空調機１への外気ＯＡと還気ＲＡとの混合比、すなわち冷温水コイル１Ａへの取入空気の混合比を制御する。また、制御装置２は、給気ファン１Ｃの起動／停止を制御する。給気ファン１Ｃは、制御装置２から起動指令が与えられると、一定の回転数で回転する。
【０００９】
この空調制御システムでは、給気ファン１Ｃの回転数が一定であるので、冷温水コイル１Ａへの取入空気の混合比が変動しても、冷温水コイル１Ａを通過する取入空気の風量は変わらない。また、冬期など、被制御室３内の湿度が低くなると、加湿器１Ｂへの加湿水の供給が自動的に行われ、冷温水コイル１Ａを通して送られてくる取入空気への加湿が行われる。
【００１０】
【特許文献１】特開平７−３５３７２号公報参照（図２）
【発明の開示】
【発明が解決しようとする課題】
【００１１】
しかしながら、上述した従来の空調制御システムでは、冷房軽負荷時に、被制御室３内の湿度が高い場合、必要以上に設定温度Ｔｓｐが下げられてしまい、省エネルギーに反するという問題があった。また、暖房軽負荷時に、被制御室内の湿度が低い場合、必要以上に設定温度Ｔｓｐが上げられてしまい、省エネルギーに反するという問題があった。以下、この問題について、冷房軽負荷時と暖房軽負荷時とに分けて説明する。
【００１２】
〔冷房軽負荷時〕
冷房負荷が少ない場合、計測温度Ｔｐｖと設定温度Ｔｓｐとは一致しているが、被制御室３内の湿度が高いという場合がある。このような場合、冷温水バルブＭＶの開度が絞られ、冷温水コイル１Ａへの冷水の流量が少なくなる。この時、冷温水コイル１Ａを通過する取入空気の風量は一定である。このため、冷温水コイル１Ａを通過する取入空気は、露点温度まで冷却（冷却・除湿）されることなく、給気ファン１Ｃを通して被制御室３へ送られる。
【００１３】
この場合、被制御室３の湿度は高いままとなり、特に雨天では不快に感じる。このため、被制御室３内の居住者は、設定温度Ｔｓｐを下げ、冷温水コイル１Ａへの冷水の流量を多くすることにより、冷温水コイル１Ａを通過する取入空気をさらに冷却（冷却・除湿）して、不快感を解消しようとする。これにより、設定温度Ｔｓｐが必要以上に下げられ、省エネルギーに反するものとなる。
【００１４】
〔暖房軽負荷時〕
暖房負荷が少ない場合、計測温度Ｔｐｖと設定温度Ｔｓｐとは一致しているが、被制御室３内の湿度が低いという場合がある。このような場合、冷温水バルブＭＶの開度が絞られ、冷温水コイル１Ａへの温水の流量が少なくなる。この時、冷温水コイル１Ａを通過する取入空気の風量は一定である。このため、冷温水コイル１Ａを通過して送られてくる取入空気の温度が低く、その取入空気の中に加湿水が溶け込まず、十分な加湿を行うことができない。
【００１５】
この場合、被制御室３内の居住者は、設定温度Ｔｓｐを上げ、冷温水コイル１Ａへの温水の流量を多くすることにより、加湿器１Ｂへの取入空気の温度を上昇させて、その取入空気に加湿水が溶け込むようにして、不快感を解消しようとする。これにより、設定温度Ｔｓｐが必要以上に上げられ、省エネルギーに反するものとなる。
【００１６】
本発明は、このような課題を解決するためになされたもので、その目的とするところは、許容される室内温度設定値を維持した上で、除湿効果や加湿効果を発揮させることができる空調制御システムを提供することにある。
【課題を解決するための手段】
【００１７】
このような目的を達成するために本発明は、被制御室へ調和された空気を供給する空調機と、被制御室内の計測温度と設定温度との差に応じて空調機への冷温水の流量を制御する制御装置とを備えた空調制御システムにおいて、空調機に、取入空気の通過通路に並設され当該取入空気が分流して通過する第１の冷温水コイルおよび第２の冷温水コイルと、第１の冷温水コイルへの取入空気の通過風量を調節する第１の風量調節手段と、第２の冷温水コイルへの取入空気の通過風量を調節する第２の風量調節手段と、第１の冷温水コイルへの冷温水の流量を調節する第１の流量調節手段と、第２の冷温水コイルへの冷温水の流量を調節する第２の流量調節手段とを設け、制御装置に、計測温度と設定温度との温度差が所定の範囲内にある場合、第１の流量制御手段を制御して第１の冷温水コイルへの冷温水の流量を調節するとともに、第１の風量調節手段を制御して第１の冷温水コイルへの取入空気の通過風量を調節する制御手段を設けるようにしたものである。
【００１８】
この発明によれば、計測温度と設定温度との温度差が所定の範囲内にある場合、第１の冷温水コイルへの冷温水の流量が調節されるとともに、第１の冷温水コイルへの取入空気の通過風量が調節される。すなわち、計測温度と設定温度との温度差が所定の範囲内にある場合、第１の冷温水コイルおよび第２の冷温水コイルへの冷温水の流量の内、第１の冷温水コイルへの冷温水の流量のみが調節される。また、第１の冷温水コイルおよび第２の冷温水コイルへの取入空気の通過風量の内、第１の冷温水コイルへの取入空気の通過風量のみが調節される。この場合、第２の冷温水コイルへの取入空気の通過風量は、第２の流量調節手段をダンパとした場合、そのダンパの開度を全開としてもよいし、最小開度としてもよい。
【００１９】
〔冷房軽負荷時〕
例えば、本発明において、冷房負荷が少なく、湿度が高い場合を想定してみる。この場合、計測温度と設定温度との温度差が所定の範囲内にあるものとして、第１の冷温水コイルおよび第２の冷温水コイルへの冷水の流量の内、第１の冷温水コイルへの冷水の流量のみが調節される。また、第１の冷温水コイルおよび第２の冷温水コイルへの取入空気の通過風量の内、第１の冷温水コイルへの取入空気の通過風量のみが調節される。
【００２０】
この場合、取込空気が分流して第１の冷温水コイルおよび第２の冷温水コイルを通過するが、第１の冷温水コイルを通過する取入空気のみが冷却され、第１の冷温水コイルを通過する取入空気は冷却されない。第１の冷温水コイルを通過した取入空気は、第２の冷温水コイルを通過した取入空気と合わせられ、被制御室への調和空気とされる。
【００２１】
この時、適切な温度の調和空気が得られるようにするためには、第１の冷温水コイルを通過する取入空気へ供給する冷熱量を増大させる必要がある。この冷熱量の増大に際し、第１の冷温水コイルへの冷水の流量および第１の冷温水コイルへの取入空気の通過風量を調節し、第１の冷温水コイルを通過する取入空気の温度を露点温度以下まで下げるようにすれば、ここで冷却・除湿が行われる。これにより、設定温度を下げることなく、被制御室内の湿度を下げることが可能となる。
【００２２】
〔暖房軽負荷時〕
例えば、本発明において、暖房負荷が少なく、湿度が低い場合を想定してみる。この場合、計測温度と設定温度との温度差が所定の範囲内にあるものとして、第１の冷温水コイルおよび第２の冷温水コイルへの温水の流量の内、第１の冷温水コイルへの温水の流量のみが調節される。また、第１の冷温水コイルおよび第２の冷温水コイルへの取入空気の通過風量の内、第１の冷温水コイルへの取入空気の通過風量のみが調節される。
【００２３】
この場合、取込空気が分流して第１の冷温水コイルおよび第２の冷温水コイルを通過するが、第１の冷温水コイルを通過する取入空気のみが加熱され、第２の冷温水コイルを通過する取入空気は加熱されない。第１の冷温水コイルを通過した取入空気は、第２の冷温水コイルを通過した取入空気と合わせられ、被制御室への調和空気とされる。
【００２４】
この時、適切な温度の調和空気が得られるようにするためには、第１の冷温水コイルを通過する取入空気へ供給する温熱量を増大させる必要がある。この温熱量の増大に際し、第１の冷温水コイルへの温水の流量および第１の冷温水コイルへの取入空気の通過風量を調節し、第１の冷温水コイルを通過する取入空気の温度を大きく上昇させるようにすれば、加湿水が溶け込みやすくなる。これにより、設定温度を上げることなく、被制御室内の湿度を上げることが可能となる。
【００２５】
また、本発明では、計測温度と設定温度との温度差が所定の範囲を超過した場合、さらに第２の流量制御手段を制御して第２の冷温水コイルへの冷温水の流量を調節するとともに、第２の風量調節手段を制御して第２の冷温水コイルへの取入空気の通過風量を調節するようにする。これにより、負荷が重くなると、第１の冷温水コイルと第２の冷温水コイルを使用して、冷房や暖房が行われるものとなる。
【００２６】
また、本発明では、第１の冷温水コイルの下流側に第１の加湿手段を設置し、第２の冷温水コイルの下流側に第２の加湿手段を設置する。そして、暖房時、計測温度と設定温度との温度差が所定の範囲内にある場合には、第１の加湿手段を制御して取入空気への加湿を行い、計測温度と設定温度との温度差が所定の範囲を超過した場合には、さらに第２の加湿手段を制御して取入空気への加湿を行うようにする。
【００２７】
また、本発明において、第１および第２の流量調節手段の冷温水の流量の調節量に応じて、被制御室への調和空気の搬送動力を調節する搬送動力調節手段を制御するようにすれば、軽負荷時の搬送動力を低減するようにして、省エネルギーを図ることが可能となる。
【発明の効果】
【００２８】
本発明によれば、計測温度と設定温度との温度差が所定の範囲内にある場合、第１の冷温水コイルへの冷温水の流量を調節するとともに、第１の冷温水コイルへの取入空気の通過風量を調節するようにしたので、冷房軽負荷時、第１の冷温水コイルを通過する取入空気の温度を露点温度以下まで下げて冷却・除湿を行うようにしたり、暖房軽負荷時、第１の冷温水コイルを通過する取入空気の温度を大きく上昇させて加湿水を溶け込みやすくしたりして、許容される室内温度設定値を維持した上で、除湿効果や加湿効果を発揮させることができるようになる。
【発明を実施するための最良の形態】
【００２９】
以下、本発明を図面に基づいて詳細に説明する。図１はこの発明に係る空調制御システムの一実施の形態の要部を示す計装図である。同図において、１’は空調機、２’は制御装置、３は被制御室、ＭＶ１は第１の冷温水バルブ、ＭＶ２は第２の冷温水バルブ、ＭＶＨ１は第１の加湿器バルブ、ＭＶＨ２は第２の加湿器バルブ、４は温度センサ、５は湿度センサ、６は外気ダンパ、７は排気ダンパ、８は還気ダンパである。
【００３０】
空調機１’は、第１の冷温水コイル１Ａ１および第２の冷温水コイル１Ａ２と、第１の加湿器１Ｂ１および第２の加湿器１Ｂ２と、送風機（給気ファン）１Ｃと、第１のダンパＤＶ１および第２のダンパＤＶ２を有しており、給気ファン１Ｃには回転数調整用のインバータＩＮＶが付設されている。
【００３１】
冷温水コイル１Ａ１，１Ａ２は取入空気（外気ＯＡと還気ＲＡとの混合空気）ＭＩＸの通過通路に並設されている。すなわち、従来の冷温水コイル１Ａを２つに分割した形で冷温水コイル１Ａ１と１Ａ２とが配置されており、取入空気ＭＩＸの全量をＱとした場合、取入空気ＭＩＸがＱＡとＱＢとに分かれて通過する（Ｑ＝ＱＡ＋ＱＢ：以下、取入量ＱＡの取入空気ＭＩＸを取入空気ＱＡ、取入量ＱＢの取入空気ＭＩＸを取入空気ＱＢとする）。
【００３２】
本実施の形態において、冷温水コイル１Ａ１と冷温水コイル１Ａ２の能力は等能力とされ、その合計能力が従来の冷温水コイル１Ａの能力と等しいものとされている。なお、冷温水コイル１Ａ１の能力を冷温水コイル１Ａ２の能力よりも高くしたり、冷温水コイル１Ａ２の能力を冷温水コイル１Ａ１の能力よりも高くしたりするなどとしてもよい。
【００３３】
第１のダンパＤＶ１は、冷温水コイル１Ａ１の上流側に設置されており、冷温水コイル１Ａ１への取入空気ＱＡの風量を調節する。第２のダンパＤＶ２は、冷温水コイル１Ａ２の上流側に設置されており、冷温水コイル１Ａ２への取入空気ＱＢの風量を調節する。なお、ダンパＤＶ１およびＤＶ２は、冷温水コイル１Ａ１および１Ａ２の下流側に設置されていてもよい。
【００３４】
第１の加湿器１Ｂ１は、冷温水コイル１Ａ１の下流側に設置されており、冷温水コイル１Ａ１を通して送られてくる取入空気ＱＡへの加湿を行う。第２の加湿器１Ｂ２は、冷温水コイル１Ａ２の下流側に設置されており、冷温水コイル１Ａ２を通して送られてくる取入空気ＱＢへの加湿を行う。
【００３５】
第１の冷温水バルブＭＶ１は冷温コイル１Ａ１への冷温水の供給通路に、第２の冷温水バルブＭＶ２は冷温コイル１Ａ２への冷温水の供給通路に、第１の加湿器バルブＭＶＨ１は加湿器１Ｂ１への加湿水の供給通路に、第２の加湿器バルブＭＶＨ２は加湿器１Ｂ２への加湿水の供給通路に設けられている。被制御室２には温度センサ４と湿度センサ５が設けられている。
【００３６】
制御装置２’は、温度センサ４からの被制御室３内の計測温度Ｔｐｖと湿度センサ５からの被制御室３内の計測湿度Ｈｐｖを入力とし、計測温度Ｔｐｖと設定温度Ｔｓｐとが一致するように、また計測湿度Ｈｐｖと設定湿度Ｈｓｐとが一致するように、冷温水バルブＭＶ１，ＭＶ２、加湿器バルブＭＶＨ１，ＭＶＨ２およびダンパＤＶ１，ＤＶ２の開度を制御する。
【００３７】
図２に制御装置２’のハードウェア構成の概略を示す。同図において、２−１はＣＰＵ、２−２はＲＡＭ、２−３はＲＯＭ、２−４は記憶装置、２−５〜２−７はインターフェイスである。ＣＰＵ２−１は、インターフェイス２−６を介して与えられる設定温度Ｔｓｐ，設定湿度Ｈｓｐ、インタフェース２−７を介して与えられる計測温度Ｔｐｖ，計測湿度Ｈｐｖを得て、ＲＡＭ２−２にアクセスしながら、記憶装置２−４に格納されているプログラムに従って動作する。
【００３８】
記憶装置２−４には、本実施の形態特有のプログラムとして、被制御室３内の温度および湿度を制御する冷暖房制御プログラムが格納されている。この冷暖房制御プログラムは、例えばＣＤ−ＲＯＭなどの記録媒体に記録された状態で提供され、この記録媒体から読み出されて記憶装置２−４にインストールされている。
【００３９】
以下、図３〜図６に示すフローチャートに従って、図７〜図１０に示す弁開度やダンパ開度などの動作図を参照しながら、ＣＰＵ２−１が実行する本実施の形態特有の処理動作について説明する。ここでは、先ず、図３に示すフローチャートに沿って冷房制御時の処理動作について説明し、次に、図４に示すフローチャートに沿って暖房制御時の処理動作について説明する。
【００４０】
〔冷房制御の処理動作〕
＜冷房軽負荷時＞
今、中間期で、被制御室３内の冷房負荷が少なく、計測温度Ｔｐｖと設定温度Ｔｓｐ（Ｔｐｖ＞Ｔｓｐ）との温度差ΔＴが所定の範囲Ｗ１内にあるものとする（図７参照）。また、被制御室３内の湿度が高く、計測湿度Ｈｐｖと設定湿度Ｈｓｐ（Ｈｐｖ＞Ｈｓｐ）との湿度差ΔＨが所定の範囲Ｗ２を超えているものとする（図８参照）。
【００４１】
なお、この実施の形態では、冷温水コイル１Ａ１および１Ａ２の全体を従来の冷温水コイル１Ａと等価であるものとみなし、この冷温水コイル１Ａ１および１Ａ２の全体に対しての冷温水弁開度要求ＭＶspＴ（％）を求めるものとする。また、冷温水弁開度要求ＭＶspＴは、温度差ΔＴが所定の範囲Ｗ１内にある場合には５０％以下の値として求められ、温度差ΔＴが所定の範囲Ｗ１を超えている場合には５０％を超える値として求められるものとする。
【００４２】
この冷房軽負荷時、ＣＰＵ２−１は、図３に示すステップＳ１０１において、Ｔｐｖ＝ＴｓｐとなるようにＰＩＤ演算を行って冷温水弁開度要求ＭＶspＴを求める。そして、この冷温水弁開度要求ＭＶspＴが５０％以下であるか否かをチェックする（ステップＳ１０２）。
【００４３】
この例では、被制御室３内の冷房負荷が少なく、計測温度Ｔｐｖと設定温度Ｔｓｐとの温度差ΔＴが所定の範囲Ｗ１内にあるので、冷温水弁開度要求ＭＶspＴは５０％以下の値として求められる。したがって、ステップＳ１０２のＹＥＳに応じて、ステップＳ１０３へ進む。
【００４４】
ステップＳ１０３において、ＣＰＵ２−１は、冷温水バルブＭＶ１への冷温水弁開度要求ＭＶspＴ１をＭＶspＴ１＝ＭＶspＴ×２〔％〕として求め、冷温水バルブＭＶ２への冷温水弁開度要求ＭＶspＴ２をＭＶspＴ２＝０〔％〕として求める。
【００４５】
次に、ＣＰＵ２−１は、予め定められている冷温水弁開度−ダンパ開度変換曲線を使用して、冷温水バルブＭＶ１への冷温水弁開度要求ＭＶspＴ１に応ずるダンパＤＶ１へのダンパ開度要求Ｄｓｖ１、および冷温水バルブＭＶ２への冷温水弁開度要求ＭＶspＴ２に応ずるダンパＤＶ２へのダンパ開度要求Ｄｓｖ２を求める（ステップＳ１０５）。
【００４６】
図９にステップＳ１０５で用いられる冷温水弁開度−ダンパ開度変換曲線の一例を示す。この冷温水弁開度−ダンパ開度変換曲線では冷温水弁開度に対するダンパ開度の下限値が最小開度設定値Ｄｖｍｉｎ＝２０％として定められている。この冷温水弁開度−ダンパ開度変換曲線は現場単位でデータ測定に基づいて定められるものである。
【００４７】
次に、ＣＰＵ２−１は、ステップＳ１０５で求めたダンパ開度要求Ｄｓｖ１およびＤｓｖ２とから、（Ｄｓｖ１＋Ｄｓｖ２）／２を給気ファン１Ｃの回転数を決定するための判断値（以下、搬送動力の判断値と呼ぶ）Ｄａｖとして求め、この搬送動力の判断値Ｄａｖが５０％以下であるか否かをチェックする（ステップＳ１０６）。
【００４８】
ここで、搬送動力の判断値Ｄａｖが５０％以下であった場合には、インバータＩＮＶへの給気ファン回転数要求ＳＡｉｎｖを６０％とする（ステップＳ１０７）。搬送動力の判断値Ｄａｖが５０％を超えていた場合には、給気ファン回転数要求ＳＡｉｎｖをＳＡｉｎｖ＝０．８×（（Ｄｓｖ１＋Ｄｓｖ２）／２）＋２０〔％〕とする（ステップＳ１０８）。
【００４９】
ＣＰＵ２−１は、このようにして冷温水弁開度要求ＭＶspＴ１，ＭＶspＴ２、ダンパ開度要求Ｄｓｖ１，Ｄｓｖ２、給気ファン回転数要求ＳＡｉｎｖを求めた後、冷温水弁開度要求ＭＶspＴ１を冷温水バルブＭＶ１に、冷温水弁開度要求ＭＶspＴ２を冷温水バルブＭＶ２に、ダンパ開度要求Ｄｓｖ１をダンパＤＶ１に、ダンパ開度要求Ｄｓｖ２をダンパＤＶ２に、給気ファン回転数要求ＳＡｉｎｖをインバータＩＮＶへ出力する（ステップＳ１０９）。
【００５０】
ここで、例えば、冷温水弁開度要求ＭＶspＴが２５％である場合を想定してみる。この場合、冷温水弁開度要求ＭＶspＴ１は５０％、冷温水弁開度要求ＭＶspＴ２は０％、ダンパ開度要求Ｄｓｖ１は２２％，ダンパ開度要求Ｄｓｖ２は２０％、給気ファン回転数要求ＳＡｉｎｖは６０％として求められる。これにより、冷温水バルブＭＶ１の開度が５０％、冷温水バルブＭＶ２の開度が０％、ダンパＤＶ１の開度が２２％、ダンパＤＶ２の開度が２０％、給気ファン１Ｃの回転数が定格回転数の６０％とされる。
【００５１】
次に、冷温水弁開度要求ＭＶspＴが５０％である場合を想定してみる。この場合、冷温水弁開度要求ＭＶspＴ１は１００％、冷温水弁開度要求ＭＶspＴ２は０％、ダンパ開度要求Ｄｓｖ１は１００％，ダンパ開度要求Ｄｓｖ２は２０％、給気ファン回転数要求ＳＡｉｎｖは６８％として求められる。これにより、冷温水バルブＭＶ１の開度が１００％、冷温水バルブＭＶ２の開度が０％、ダンパＤＶ１の開度が１００％、ダンパＤＶ２の開度が２０％、給気ファン１Ｃの回転数が定格回転数の６８％とされる。
【００５２】
この例からも分かるように、冷温水弁開度要求ＭＶspＴが５０％を超えるまでは、すなわち計測温度Ｔｐｖと設定温度Ｔｓｐとの温度差ΔＴが所定の範囲Ｗ１内にある場合には、冷温水バルブＭＶ２の開度は０％、ダンパＤＶ２の開度は２０％（最小開度設定値）を維持し、冷温水バルブＭＶ１の開度、ダンパＤＶ１の開度および給気ファン１Ｃの回転数のみが調節される。
【００５３】
この場合、取込空気ＭＩＸが分流して冷温水コイル１Ａ１および冷温水コイル１Ａ２を通過するが、冷温水コイル１Ａ１を通過する取入空気ＱＡのみが冷却され、冷温水コイル１Ｂを通過する取入空気ＱＢは冷却されない。冷温水コイル１Ａ１を通過した取入空気ＱＡは、冷温水コイル１Ａ２を通過した取入空気ＱＢと合わせられ、被制御室３への調和空気とされる。
【００５４】
この時、ＣＰＵ２−１は、適切な温度の調和空気（ＱＡ＋ＱＢ）が得られるように、冷温水バルブＭＶ１の開度およびダンパＤＶ１の開度を調節し、冷温水コイル１Ａ１を通過する取入空気ＱＡへ供給する冷熱量を増大させる。この冷熱量の増大により、冷温水コイル１Ａ１を通過する取入空気ＱＡの温度が露点温度以下まで下げられ、ここで冷却・除湿が行われる。これにより、設定温度Ｔｓｐを下げることなく、被制御室３内の湿度が下げられるものとなる。
【００５５】
＜温度差ΔＴが所定の範囲Ｗ１を超えた場合＞
計測温度Ｔｐｖと設定温度Ｔｓｐとの温度差ΔＴが所定の範囲Ｗ１を超えると、すなわち冷温水弁開度要求ＭＶspＴが５０％を超えると（ステップＳ１０２のＮＯ）、ＣＰＵ２−１は、冷温水バルブＭＶ１への冷温水弁開度要求ＭＶspＴ１をＭＶspＴ１＝１００〔％〕として求め、冷温水バルブＭＶ２への冷温水弁開度要求ＭＶspＴ２をＭＶspＴ２＝（ＭＶspＴ−５０）×２〔％〕として求める（ステップＳ１０４）。
【００５６】
次に、ＣＰＵ２−１は、図９に示した冷温水弁開度−ダンパ開度変換曲線を使用して、冷温水バルブＭＶ１への冷温水弁開度要求ＭＶspＴ１に応ずるダンパＤＶ１へのダンパ開度要求Ｄｓｖ１、および冷温水バルブＭＶ２への冷温水弁開度要求ＭＶspＴ２に応ずるダンパＤＶ２へのダンパ開度要求Ｄｓｖ２を求める（ステップＳ１０５）。
【００５７】
そして、ステップＳ１０５で求めたダンパ開度要求Ｄｓｖ１およびＤｓｖ２とから、（Ｄｓｖ１＋Ｄｓｖ２）／２を搬送動力の判断値Ｄａｖとして求め、この搬送動力の判断値Ｄａｖが５０％以下であるか否かをチェックする（ステップＳ１０６）。ここで、搬送動力の判断値Ｄａｖが５０％以下であった場合には、インバータＩＮＶへの給気ファン回転数要求ＳＡｉｎｖを６０％とする（ステップＳ１０７）。搬送動力の判断値Ｄａｖが５０％を超えていた場合には、給気ファン回転数要求ＳＡｉｎｖをＳＡｉｎｖ＝０．８×（（Ｄｓｖ１＋Ｄｓｖ２）／２）＋２０〔％〕とする（ステップＳ１０８）。
【００５８】
図１０に搬送動力の判断値Ｄａｖ＝（Ｄｓｖ１＋Ｄｓｖ２）／２と給気ファン回転数要求ＳＡｉｎｖとの関係を示す。この図からも分かるように、本実施の形態では、給気ファン回転数要求ＳＡｉｎｖの最小値ＳＡｍｉｎが６０％とされ、搬送動力の判断値Ｄａｖが５０％を超えると、この搬送動力の判断値Ｄａｖの増大に比例して、給気ファン回転数要求ＳＡｉｎｖが増大して行く。
【００５９】
ＣＰＵ２−１は、このようにして冷温水弁開度要求ＭＶspＴ１，ＭＶspＴ２、ダンパ開度要求Ｄｓｖ１，Ｄｓｖ２、給気ファン回転数要求ＳＡｉｎｖを求めた後、冷温水弁開度要求ＭＶspＴ１を冷温水バルブＭＶ１に、冷温水弁開度要求ＭＶspＴ２を冷温水バルブＭＶ２に、ダンパ開度要求Ｄｓｖ１をダンパＤＶ１に、ダンパ開度要求Ｄｓｖ２をダンパＤＶ２に、給気ファン回転数要求ＳＡｉｎｖをインバータＩＮＶへ出力する（ステップＳ１０９）。
【００６０】
ここで、例えば、冷温水弁開度要求ＭＶspＴが５０％を超えている場合として、冷温水弁開度要求ＭＶspＴが７５％である場合を想定してみる。この場合、冷温水弁開度要求ＭＶspＴ１は１００％、冷温水弁開度要求ＭＶspＴ２は５０％、ダンパ開度要求Ｄｓｖ１は１００％，ダンパ開度要求Ｄｓｖ２は２２％、給気ファン回転数要求ＳＡｉｎｖは６８．８％として求められる。これにより、冷温水バルブＭＶ１の開度が１００％、冷温水バルブＭＶ２の開度が５０％、ダンパＤＶ１の開度が１００％、ダンパＤＶ２の開度が２２％、給気ファン１Ｃの回転数が定格回転数の６８．８％とされる。
【００６１】
この例からも分かるように、冷温水弁開度要求ＭＶspが５０％を超えると、すなわち計測温度Ｔｐｖと設定温度Ｔｓｐとの温度差ΔＴが所定の範囲Ｗ１を超えると、冷温水バルブＭＶ１の開度、ダンパＤＶ１の開度および給気ファン１Ｃの回転数の調節に加え、冷温水バルブＭＶ２の開度およびダンパＤＶ２の開度が調節されるようになる。
【００６２】
この場合、冷温水コイル１Ａ１を通過する取入空気ＱＡの冷却に加え、冷温水コイル１Ｂを通過する取入空気ＱＢも冷却されるものとなる。これにより、空調機１’における冷却能力がアップされ、計測温度Ｔｐｖと設定温度Ｔｓｐとの温度差ΔＴが速やかに所定の範囲Ｗ１に戻されるようになる。
【００６３】
なお、この例では、ステップ１０５でのダンパの最低開度設定値を２０％、ステップＳ１０６での搬送動力の判断値Ｄａｖに対する比較値を５０％、ステップＳ１０６での給気ファン回転数要求ＳＡｉｎｖを６０％、ステップＳ１０８での給気ファン回転数要求ＳＡｉｎｖの算出式をＳＡｉｎｖ＝０．８×（（Ｄｓｖ１＋Ｄｓｖ２）／２）＋２０としたが、これらは現場単位で設定されるものであり、自由に変更することが可能である。
【００６４】
〔暖房制御の処理動作〕
＜暖房軽負荷時＞
今、被制御室３内の暖房負荷が少なく、計測温度Ｔｐｖと設定温度Ｔｓｐ（Ｔｐｖ＜Ｔｓｐ）との温度差ΔＴが所定の範囲Ｗ３内にあるものとする（図７参照）。また、被制御室３内の湿度が低く、計測湿度Ｈｐｖと設定湿度Ｈｓｐ（Ｈｐｖ＜Ｈｓｐ）との湿度差ΔＨが所定の範囲Ｗ４を超えているものとする（図８参照）。
【００６５】
なお、この暖房制御時にも冷房制御時と同様、冷温水弁開度要求ＭＶspＴは、温度差ΔＴが所定の範囲Ｗ１内にある場合には５０％以下の値として求められ、温度差ΔＴが所定の範囲Ｗ１を超えている場合には５０％を超える値として求められるものとする。
【００６６】
この暖房軽負荷時、ＣＰＵ２−１は、図４に示すステップＳ２０１において、Ｔｐｖ＝ＴｓｐとなるようにＰＩＤ演算を行って冷温水弁開度要求ＭＶspＴを求める。そして、この冷温水弁開度要求ＭＶspＴが５０％以下であるか否かをチェックする（ステップＳ２０２）。
【００６７】
この例では、被制御室３内の暖房負荷が少なく、計測温度Ｔｐｖと設定温度Ｔｓｐとの温度差ΔＴが所定の範囲Ｗ３内にあるので、冷温水弁開度要求ＭＶspＴは５０％以下の値として求められる。したがって、ステップＳ２０２のＹＥＳに応じて、ステップＳ２０３へ進む。
【００６８】
ステップＳ２０３において、ＣＰＵ２−１は、冷温水バルブＭＶ１への冷温水弁開度要求ＭＶspＴ１をＭＶspＴ１＝ＭＶspＴ×２〔％〕として求め、冷温水バルブＭＶ２への冷温水弁開度要求ＭＶspＴ２をＭＶspＴ２＝０〔％〕として求める。また、加湿器バルブＭＶＨ１をオンとし、加湿器バルブＭＶＨ２をオフとする。
【００６９】
なお、ここでオンとする加湿器バルブＭＶＨ１に対しては、Ｈｐｖ＝ＨｓｐとなるようにＰＩＤ演算を行って、そのバルブの開度を定める加湿弁開度要求ＭＶspＨ１を求める（図５：ステップＳ３０１）。
【００７０】
次に、ＣＰＵ２−１は、図９に示した冷温水弁開度−ダンパ開度変換曲線を使用して、冷温水バルブＭＶ１への冷温水弁開度要求ＭＶspＴ１に応ずるダンパＤＶ１へのダンパ開度要求Ｄｓｖ１、および冷温水バルブＭＶ２への冷温水弁開度要求ＭＶspＴ２に応ずるダンパＤＶ２へのダンパ開度要求Ｄｓｖ２を求める（ステップＳ２０５）。
【００７１】
そして、ステップＳ２０５で求めたダンパ開度要求Ｄｓｖ１およびＤｓｖ２とから、（Ｄｓｖ１＋Ｄｓｖ２）／２を搬送動力の判断値Ｄａｖとして求め、この搬送動力の判断値Ｄａｖが５０％以下であるか否かをチェックする（ステップＳ２０６）。
【００７２】
ここで、搬送動力の判断値Ｄａｖが５０％以下であった場合には、インバータＩＮＶへの給気ファン回転数要求ＳＡｉｎｖを６０％とする（ステップＳ２０７）。搬送動力の判断値Ｄａｖが５０％を超えていた場合には、給気ファン回転数要求ＳＡｉｎｖをＳＡｉｎｖ＝０．８×（（Ｄｓｖ１＋Ｄｓｖ２）／２）＋２０〔％〕とする（ステップＳ２０８）。
【００７３】
ＣＰＵ２−１は、このようにして冷温水弁開度要求ＭＶspＴ１，ＭＶspＴ２、ダンパ開度要求Ｄｓｖ１，Ｄｓｖ２、加湿弁開度要求ＭＶｓｐＨ１、給気ファン回転数要求ＳＡｉｎｖを求めた後、冷温水弁開度要求ＭＶspＴ１を冷温水バルブＭＶ１に、冷温水弁開度要求ＭＶspＴ２を冷温水バルブＭＶ２に、ダンパ開度要求Ｄｓｖ１をダンパＤＶ１に、ダンパ開度要求Ｄｓｖ２をダンパＤＶ２に、加湿弁開度要求ＭＶｓｐＨ１を加湿器バルブＭＶＨ１に、給気ファン回転数要求ＳＡｉｎｖをインバータＩＮＶへ出力する（ステップＳ２０９）。
【００７４】
ここで、例えば、冷温水弁開度要求ＭＶspＴが２５％であり、加湿弁開度要求ＭＶｓｐＨ１が５０％である場合を想定してみる。この場合、冷温水弁開度要求ＭＶspＴ１は５０％、冷温水弁開度要求ＭＶspＴ２は０％、ダンパ開度要求Ｄｓｖ１は２２％，ダンパ開度要求Ｄｓｖ２は２０％、給気ファン回転数要求ＳＡｉｎｖは６０％として求められる。これにより、冷温水バルブＭＶ１の開度が５０％、冷温水バルブＭＶ２の開度が０％、ダンパＤＶ１の開度が２２％、ダンパＤＶ２の開度が２０％、加湿器バルブＭＶＨ１の開度が５０％、給気ファン１Ｃの回転数が定格回転数の６０％とされる。
【００７５】
次に、冷温水弁開度要求ＭＶspＴが５０％であり、加湿弁開度要求ＭＶｓｐＨ１が１００％である場合を想定してみる。この場合、冷温水弁開度要求ＭＶspＴ１は１００％、冷温水弁開度要求ＭＶspＴ２は０％、ダンパ開度要求Ｄｓｖ１は１００％，ダンパ開度要求Ｄｓｖ２は２０％、給気ファン回転数要求ＳＡｉｎｖは６８％として求められる。これにより、冷温水バルブＭＶ１の開度が１００％、冷温水バルブＭＶ２の開度が０％、ダンパＤＶ１の開度が１００％、ダンパＤＶ２の開度が２０％、加湿器バルブＭＶＨ１の開度が１００％、給気ファン１Ｃの回転数が定格回転数の６８％とされる。
【００７６】
この例からも分かるように、冷温水弁開度要求ＭＶspＴが５０％を超えるまでは、すなわち計測温度Ｔｐｖと設定温度Ｔｓｐとの温度差ΔＴが所定の範囲Ｗ３内にある場合には、冷温水バルブＭＶ２の開度は０％、ダンパＤＶ２の開度は２０％（最小開度設定値）を維持し、冷温水バルブＭＶ１の開度、ダンパＤＶ１の開度、加湿器バルブＭＶＨ１の開度および給気ファン１Ｃの回転数のみが調節される。
【００７７】
この場合、取込空気ＭＩＸが分流して冷温水コイル１Ａ１および冷温水コイル１Ａ２を通過するが、冷温水コイル１Ａ１を通過する取入空気ＱＡのみが加熱され、冷温水コイル１Ｂを通過する取入空気ＱＢは加熱されない。冷温水コイル１Ａ１を通過した取入空気ＱＡは、冷温水コイル１Ａ２を通過した取入空気ＱＢと合わせられ、被制御室３への調和空気とされる。
【００７８】
この時、ＣＰＵ２−１は、適切な温度の調和空気（ＱＡ＋ＱＢ）が得られるように、冷温水バルブＭＶ１の開度およびダンパＤＶ１の開度を調節し、冷温水コイル１Ａ１を通過する取入空気ＱＡへ供給する温熱量を増大させる。この温熱量の増大により、冷温水コイル１Ａ１を通過する取入空気ＱＡの温度が大きく上昇され、加湿水が溶け込みやすくなる。これにより、設定温度Ｔｓｐを上げることなく、被制御室３内の湿度が上げられるものとなる。
【００７９】
＜温度差ΔＴが所定の範囲Ｗ３を超えた場合＞
計測温度Ｔｐｖと設定温度Ｔｓｐとの温度差ΔＴが所定の範囲Ｗ３を超えると、すなわち冷温水弁開度要求ＭＶspＴが５０％を超えると（ステップＳ２０２のＮＯ）、ＣＰＵ２−１は、冷温水バルブＭＶ１への冷温水弁開度要求ＭＶspＴ１をＭＶspＴ１＝１００〔％〕として求め、冷温水バルブＭＶ２への冷温水弁開度要求ＭＶspＴ２をＭＶspＴ２＝（ＭＶspＴ−５０）×２〔％〕として求める。また、加湿器バルブＭＶＨ１および加湿器バルブＭＶＨ２を共にオンとする。（ステップＳ２０４）
【００８０】
なお、ここでオンとする加湿器バルブＭＶＨ１，ＭＶＨ２については、Ｈｐｖ＝ＨｓｐとなるようにＰＩＤ演算を行って加湿器バルブＭＶＨ１およびＭＶＨ２の全体に対しての加湿弁開度要求ＭＶspＨを求め（図６：ステップＳ４０１）、加湿弁開度要求ＭＶspＨが５０％以下であるか否かをチェックし（ステップＳ４０２）、加湿弁開度要求ＭＶspＨが５０％以下であった場合には（ステップＳ４０２のＹＥＳ）、加湿器バルブＭＶＨ１への加湿弁開度要求ＭＶspＨ１をＭＶspＨ１＝ＭＶspＨ×２〔％〕とし、加湿器バルブＭＶＨ２への加湿弁開度要求ＭＶspＨ２をＭＶspＨ１＝０〔％〕とする（ステップＳ４０３）。加湿弁開度要求ＭＶspＨが５０％を超えていた場合には（ステップＳ４０２のＮＯ）、加湿器バルブＭＶＨ１への加湿弁開度要求ＭＶspＨ１をＭＶspＨ１＝１００〔％〕とし、加湿器バルブＭＶＨ２への加湿弁開度要求ＭＶspＨ２をＭＶspＨ１＝（ＭＶspＨ−５０）×２〔％〕とする（ステップＳ４０４）。
【００８１】
次に、ＣＰＵ２−１は、図９に示した冷温水弁開度−ダンパ開度変換曲線を使用して、冷温水バルブＭＶ１への冷温水弁開度要求ＭＶspＴ１に応ずるダンパＤＶ１へのダンパ開度要求Ｄｓｖ１、および冷温水バルブＭＶ２への冷温水弁開度要求ＭＶspＴ２に応ずるダンパＤＶ２へのダンパ開度要求Ｄｓｖ２を求める（ステップＳ２０５）。
【００８２】
そして、ステップＳ２０５で求めたダンパ開度要求Ｄｓｖ１およびＤｓｖ２とから、（Ｄｓｖ１＋Ｄｓｖ２）／２を搬送動力の判断値Ｄａｖとして求め、この搬送動力の判断値Ｄａｖが５０％以下であるか否かをチェックする（ステップＳ２０６）。ここで、搬送動力の判断値Ｄａｖが５０％以下であった場合には（ステップＳ２０６のＹＥＳ）、インバータＩＮＶへの給気ファン回転数要求ＳＡｉｎｖを６０％とする（ステップＳ２０７）。搬送動力の判断値Ｄａｖが５０％を超えていた場合には（ステップＳ２０６のＮＯ）、給気ファン回転数要求ＳＡｉｎｖをＳＡｉｎｖ＝０．８×（（Ｄｓｖ１＋Ｄｓｖ２）／２）＋２０とする（ステップＳ２０８）。
【００８３】
ＣＰＵ２−１は、このようにして冷温水弁開度要求ＭＶspＴ１，ＭＶspＴ２、ダンパ開度要求Ｄｓｖ１，Ｄｓｖ２、加湿弁開度要求ＭＶspＨ１，ＭＶspＨ２、給気ファン回転数要求ＳＡｉｎｖを求めた後、冷温水弁開度要求ＭＶspＴ１を冷温水バルブＭＶ１に、冷温水弁開度要求ＭＶspＴ２を冷温水バルブＭＶ２に、ダンパ開度要求Ｄｓｖ１をダンパＤＶ１に、ダンパ開度要求Ｄｓｖ２をダンパＤＶ２に、加湿弁開度要求ＭＶspＨ１を加湿器バルブＭＶＨ１に、加湿弁開度要求ＭＶspＨ２を加湿器バルブＭＶＨ２に、給気ファン回転数要求ＳＡｉｎｖをインバータＩＮＶへ出力する（ステップＳ２０９）。
【００８４】
ここで、例えば、冷温水弁開度要求ＭＶspＴが５０％を超えている場合として、冷温水弁開度要求ＭＶspＴが７５％である場合を想定してみる。なお、この場合、加湿弁開度要求ＭＶspＨは６０％であるとする。この場合、冷温水弁開度要求ＭＶspＴ１は１００％、冷温水弁開度要求ＭＶspＴ２は５０％、ダンパ開度要求Ｄｓｖ１は１００％，ダンパ開度要求Ｄｓｖ２は２２％、加湿弁開度要求ＭＶspＨ１は１００％、加湿弁開度要求ＭＶspＨ２は２０％、給気ファン回転数要求ＳＡｉｎｖは６８．８％として求められる。これにより、冷温水バルブＭＶ１の開度が１００％、冷温水バルブＭＶ２の開度が５０％、ダンパＤＶ１の開度が１００％、ダンパＤＶ２の開度が２２％、加湿器バルブＭＶＨ１の開度が１００％、加湿器バルブＭＶＨ２の開度が２０％、給気ファン１Ｃの回転数が定格回転数の６８．８％とされる。
【００８５】
この例からも分かるように、冷温水弁開度要求ＭＶspが５０％を超えると、すなわち計測温度Ｔｐｖと設定温度Ｔｓｐとの温度差ΔＴが所定の範囲Ｗ３を超えると、冷温水バルブＭＶ１の開度、ダンパＤＶ１の開度、加湿器バルブＭＶＨ１，ＭＶＨ２および給気ファン１Ｃの回転数の調節に加え、冷温水バルブＭＶ２の開度およびダンパＤＶ２の開度が調節されるようになる。
【００８６】
この場合、冷温水コイル１Ａ１を通過する取入空気ＱＡの加熱に加え、冷温水コイル１Ｂを通過する取入空気ＱＢも加熱されるものとなる。これにより、空調機１’における加熱能力がアップされ、計測温度Ｔｐｖと設定温度Ｔｓｐとの温度差ΔＴが速やかに所定の範囲Ｗ３に戻されるようになる。
【００８７】
なお、この例では、ステップ２０５でのダンパの最低開度設定値を２０％、ステップＳ２０６での搬送動力の判断値Ｄａｖに対する比較値を５０％、ステップＳ２０６での給気ファン回転数要求ＳＡｉｎｖを６０％、ステップＳ２０８での給気ファン回転数要求ＳＡｉｎｖの算出式をＳＡｉｎｖ＝０．８×（（Ｄｓｖ１＋Ｄｓｖ２）／２）＋２０としたが、これらは現場単位で設定されるものであり、自由に変更することが可能である。
【００８８】
また、上述した実施の形態では、計測温度Ｔｐｖと設定温度Ｔｓｐとの温度差ΔＴが所定の範囲Ｗ１やＷ３内にある場合、ダンパＤＶ２の開度を最小開度設定値とするようにしたが、全開とするなどとしてもよい。
【００８９】
また、上述した実施の形態では、給気ファン１Ｃの回転数を変化させるようにしたが、給気ファン１Ｃの回転数を一定とするようにしてもよい。本実施の形態のように、給気ファン１ＣにインバータＩＮＶを付設して搬送動力調節手段とし、冷温水コイル１Ａ１および１Ａ２への冷温水の流量の調節量に応じて給気ファン１Ｃの回転数を調節することにより、軽負荷時の被制御室３への調和空気の搬送動力を低減するようにして、省エネルギーを図ることができる。
【００９０】
また、上述した実施の形態では、冷温水弁開度−ダンパ開度変換曲線（図９）を使用して、冷温水弁開度要求ＭＶspＴ１およびＭＶspＴ２に応ずるダンパ開度要求Ｄｓｖ１およびＤｓｖ２を求めるようにしたが、冷温水弁開度要求ＭＶspＴ１およびＭＶspＴ２とは独立して、ダンパ開度要求Ｄｓｖ１およびＤｓｖ２を求めるようにしてもよい。
【図面の簡単な説明】
【００９１】
【図１】本発明に係る空調制御システムの一実施の形態の要部を示す計装図である。
【図２】この空調制御システムにおける制御装置のハードウェア構成の概略を示す図である。
【図３】この空調制御システムにおける制御装置のＣＰＵが実行する冷房制御時の処理動作を示すフローチャートである。
【図４】この空調制御システムにおける制御装置のＣＰＵが実行する暖房制御時の処理動作を示すフローチャートである。
【図５】暖房制御時の被制御室内の温度差ΔＴが所定の範囲Ｗ３内にある場合の加湿処理を示すフローチャートである。
【図６】暖房制御時の被制御室内の温度差ΔＴが所定の範囲Ｗ３を超えている場合の加湿処理を示すフローチャートである。
【図７】冷温水バルブＭＶ１／ＭＶ２の温度制御動作を示す図である。
【図８】冷温水バルブＭＶ１／ＭＶ２の湿度制御動作を示す図である。
【図９】冷温水弁開度−ダンパ開度変換曲線の一例を示す図である。
【図１０】搬送動力の判断値（Ｄａｖ＝（Ｄｓｖ１＋Ｄｓｖ２）／２）と給気ファン回転数要求（ＳＡｉｎｖ）との関係を示す図である。
【図１１】従来の空調制御システムの要部を示す計装図である。
【符号の説明】
【００９２】
１’…空調機、１Ａ１…第１の冷温水コイル、１Ａ２…第２の冷温水コイル、１Ｂ１…第１の加湿器、１Ｂ２…第２の加湿器、１Ｃ…送風機（給気ファン）、２’…制御装置、３…被制御室、４…温度センサ、５…湿度センサ、６…外気ダンパ、７…排気ダンパ、８…還気ダンパ、ＭＶ１…第１の冷温水バルブ、ＭＶ２…第２の冷温水バルブ、ＭＶＨ１…第１の加湿器バルブ、ＭＶＨ２…第２の加湿器バルブ、ＤＶ１…第１のダンパ、ＤＶ２…第２のダンパ、２−１…ＣＰＵ、２−２…ＲＡＭ、２−３…ＲＯＭ、２−４…記憶装置、２−５〜２−７…インターフェイス。
【図１】
2010078238.tif 000003
【図２】
2010078238.tif 000004
【図３】
2010078238.tif 000005
【図４】
2010078238.tif 000006
【図５】
2010078238.tif 000007
【図６】
2010078238.tif 000008
【図７】
2010078238.tif 000009
【図８】
2010078238.tif 000010
【図９】
2010078238.tif 000011
【図１０】
2010078238.tif 000012
【図１１】
2010078238.tif 000013